(57)【特許請求の範囲】
【請求項１】
スキンストレッチャー及び／又は潤滑装置を電気カミソリの外部切断要素の上若しくは周りに着脱可能に取り付けるための補助部品であって、
当該補助部品は、対応する前記外部切断要素の周りに厳密に適合するような形状を有する要素によって形成され、且つ、前記スキンストレッチャー及び／又は前記潤滑装置のための固定手段を備えることを特徴とする、
補助部品。
【請求項２】
回転式切断要素を備える電気カミソリに適した請求項１に記載の補助部品であって、
環状要素が、その内周に、前記切断要素の外周の周りに適合する円筒表面を備え、且つ、その外周にも、円筒表面を備え、該円筒表面の上に、環状のスキンストレッチャー要素又は潤滑剤要素が適合されて設けられることを特徴とする、
補助部品。
【請求項３】
前記環状要素は、前記切断要素の孔内に収容される突起をその下側に備える中央表面を含むことを特徴とする、請求項２に記載の補助部品。
【請求項４】
摩耗インジケーターが前記中央表面の上に設けられ、前記摩耗インジケーターは、前記潤滑剤キャリアが実質的に消耗され且つ置換期限になるときに、可視的になることを特徴とする、請求項３に記載の補助部品。
【請求項５】
１つ又は幾つかの回転式切断要素を備える電気カミソリに特に適した請求項１乃至４のうちのいずれか１項に記載された補助部品であって、
当該補助部品は、２つの対向する側を有する基部品によって形成され、該基部品の前記２つの対向する側の一方は、外部切断要素の中央孔の内部にスナップ接続を用いて固定され得る突起を備え、潤滑層によって覆われる摩耗インジケーターが、前記基部品の前記２つの対向する側の他方の上に設けられることを特徴とする、
補助部品。
【請求項６】
外部切断要素を含む少なくとも１つのシェービングヘッドを備え、前記外部切断要素はヘアー入り口開口部を備える電気カミソリであって、各シェービングヘッドは、請求項１乃至５のうちのいずれか１項に記載の補助部品を備え、該補助部品は、前記シェービングヘッドの上に或いは周りにスナップ接続され、且つ、そこから取り外され得ることを特徴とする、
電気カミソリ。
【発明の詳細な説明】
【０００１】
本発明は、着脱可能な手法で、電気カミソリの外部切断要素上若しくはその要素のまわりで、スキンストレッチャー、潤滑装置及び同様のような取り付けるアタッチメントのための補助部品に関係がある。
【０００２】
シェービングヘッドの周辺及びシェービングヘッドのそれぞれに対して提供されるスキンストレッチャー及び潤滑装置などのアタッチメントを備えて提供される電気シェーバーは本来から公知である。回転式切断要素を備えて提供される電気シェーバーは、シェービングヘッドの外部切断要素の周りに提供されるスキンストレッチャー要素を備える米国特許出願番号ＵＳ２２４６４５９から既知である。さらに、欧州特許出願番号ＥＰ０７７３８５５は、シェービング中に潤滑剤のある特定の量を適用する潤滑剤ストリップが提供されて、より滑らかなシェービングの実行される結果となる手動のシェーバーを開示している。
【０００３】
かかるアタッチメントは使用中に汚染と摩耗を受けやすい。前者は、特にウェットシェービングと同様にドライにおいて使用される電気シェーバーでのスキンストレッチャー要素を伴って主に発生する。タップの下ですすぐことは正常な清掃に十分であるが、スキンストレッチャー要素シェービングヘッドからを着脱させて、より完全な洗浄が時々望ましい。潤滑剤キャリアは操作の過程で潤滑剤を供給し、使い切った後では置き換えが必要である。
【０００４】
本発明の目的は、安価で簡素な構造であり、アタッチメントが簡素で迅速な手法でシェービングヘッド上若しくはその周辺に提供でき、そこから再度取り外し可能な手法による補助部品を提供することである。
【０００５】
この目的を達成するために、本発明による補助部品は、補助部品が、その一方の側によって対応する外部切断要素の上にクリック接続され得る要素によって形成され、且つ、その他方の側に、１つ又は幾つかのアタッチメントのための固定手段、例えば、スナップコネクション手段を備えることを特徴とする。
【０００６】
存在するすべてのアタッチメントはこの手法での様その手段によって同時にシェービングヘッドに取り付け可能で、さらに、所望であれば同時に再度取り外すことができる。これは、使用のかなり増大された容易さを導く。ここでの要素は、回転式及び振動型の両者のシェーバーのシェービングヘッドで使用されるかもしれない。
【０００７】
外部切断要素がシェービング箔によって形成されるシェーバーにおいて適切な補助部品の実施態様において、補助部品は、各々が切断要素の外周に厳密に適合する一つ若しくは二つの長方形の陥凹を備える長方形型を有し、及び補助部品は、少なくとも一つのスキンストレッチャー要素及び少なくとも一つの潤滑剤キャリアを固定するための手段を備えるそれぞれの陥凹の長い側に沿った上部に提供される。かかるシェーバーの内部切断要素は、振動式往復運動シェービング要素若しくは回転式円筒状シェービング要素によって形成される。
【０００８】
回転式切断要素を備えるシェーバーに適するさらなる実施態様において、環状要素は、切断要素の外周の周りで厳密に適合する筒面をその内周に供給され、さらに、環状のスキンストレッチャー要素若しくは潤滑剤要素が厳密に適合されているその外周に筒面を提供される。
【０００９】
さらなる実施態様において、高くして、わずかに円錐形の端を備えた表面は、リングの端においては潤滑性のキャリアーを提供することができるリングに接続されるためにリング内に提供される。
【００１０】
外部切断要素にしっかりと提供されているアタッチメントで補助部品を固定するために、中央表面は切断要素の収容スペースに適合する突出を伴って別の側で提供される。この手法での補助部品は切断要素の外部と接触するだけでなく、切断要素に存在する中央孔とも接触する。
【００１１】
潤滑剤キャリアが置き換えられる場合の電気シェーバーの使用を明かにするために、潤滑剤キャリアが実質的に使い果たされて置き換えが必要なことを可視する磨耗インジケーターが潤滑剤キャリアの下に提供される。このインジケーターは銘若しくは着色されたスポットである。
【００１２】
本発明は、さらに、シェービングヘッドが前述に記載のような補助部品を備えて提供される電気シェーバーに関する。
【００１３】
本発明は実施例の手段によって示される電気シェーバーにおけるアタッチメントを備える補助部品の実施態様で図に関連してより詳細に説明される。
【００１４】
図１に示される電気シェーバーはハウジングから取り外しができるか若しくはハウジングに蝶番で取り付けられているシェービングヘッドホルダー２を備えるハウジング１を伴って提供される。３つのシェービングヘッドがシェービングヘッドホルダー２に収容されて、各々はヘアー入り口開口部５及び内部ヘアー切断要素６を備える外部ヘアー切断要素４を有し、後者の要素は外部切断要素に関する回転への導きを可能にする。内部ヘアー切断要素は、シェーバーのハウジングに収容されているモーター（示されていない）によって導かれる。
【００１５】
図２は、外部切断要素４の断面を示している。アタッチメントを備える補助部品７が、外部切断要素４上にスナップ接続されて定位置にある。補助部品７は、切断要素４の周りに厳密に適合するような内径を有する環状要素８で構成されている。スキンストレッチャー要素９が、環状要素８の上に設けられている。環状要素８は、数個の接続部分１０を介して中央表面１１に接続され、中央表面は、切断要素４の中央部分内に幾分押し下げられて位置し、その下方側に、突出部１２を備え、その突出部１２は、切断部材４内の孔１３内に収容されている。
【００１６】
環状要素８は、このようにして、外部切断要素４に極めて確実に固定される。潤滑剤を含む物質のディスク１４が、中央表面１１上に設けられている。よって、アタッチメント９及び１４は、キャリア要素８を用いて外部切断要素４に取り付けられ、スキンストレッチャー要素９が汚染されたか或いは潤滑剤キャリア１４が使い果たされたかの何れかのときには、環状キャリア８と同時に切断要素４から再び取り外され得る。
【００１７】
補助部品７の構成及び切断要素４に提供される手法を明かにするために、図３は図２を拡大した大きさで詳細に示し、一方でその部分は図４の斜視図で描写される。
【００１８】
潤滑性のキャリア１４がほとんど使い果たされたことをユーザに認識可能にするために、潤滑性ディスク１４より下の中央表面１１は、潤滑性ディスクが置換予定されていることを示す銘若しくは有色のスポットを供給される。その時点において、潤滑剤ディスクは環状要素８の手段によってスキンストレッチャー要素と共に切断要素から取り外され、新しいディスクと置き換えられる。
【００１９】
図５は、回転式シェーバーの外部切断要素に潤滑剤キャリアを固定するための補助部品を断面で示している。ここで、参照番号３１は、基部品を示しており、基部品は、外部切断要素の孔と協働し得るように、軸方向の切り口（図示せず）の故に幾分弾性的な突出部３２をその一方の側に備える。それ故に、エッジ３３は、スナップ接続が創成されるように、孔内の嵌め合い縁（図示せず）の背後で噛み合い得る。摩耗インジケーター３４及び層３５が、基部品３１の上に設けられ、潤滑剤キャリア３６が、層３５を用いて基部品に固定される。電気シェーバーのための潤滑剤キャリアが、このような取付け及び交換が容易な方法で得られる。
【００２０】
図６は、ハウジング５１とシェービング箔の形態の外部切断要素５３とを備える電気シェーバーを概略的に斜視図で示している。例えば合成樹脂から成るフレーム５７が、切断要素５３の上に示され、２つの切断要素５３の周りに厳密に適合する形状を備える細長い陥凹５８を備える。フレームは、陥凹５８のより長い側に沿った上側に、潤滑剤キャリア５９及び２つのスキンストレッチャー要素６０をフレーム５７の上側に取り付け得る手段（図示せず）を備える。
【００２１】
図７は拡大された大きさのフレーム５７の部分を示している。
【００２２】
フレーム５７が図６及び７の実施態様の二つの切断要素５３において統合された全体として描写されているが、図８で示されるように二つの部分のフレーム５７を構成することが代替的に可能である。
【００２３】
フレーム５７がシェーバーのハウジング５１に固定されるが、しかし統合された一つとして形成されるようにシェービング箔５３に対する適合された型のフレーム５７を固定することが代替として可能であることを注意すべきである。
【図面の簡単な説明】
【図１】  概略して実際の大きさではない回転式切断要素を備える電気シェーバーを示す斜視図である。
【図２】  アタッチメントを備える補助部品の概略した実際の大きさではない断面図を示す。
【図３】  拡大した大きさの図２の補助部品の部分を示す。
【図４】  外部切断要素に補助部品とアタッチメントを組み合わせた拡大図を示す。
【図５】  本発明による補助部品の代替となる実施態様を概略する断面図を示す。
【図６】  補助部品が置き換えられるところを示すシェービング箔を備える電気シェーバーの実際の大きさではない概略した斜視図を示す。
【図７】  図６で取り付けられた補助部品の詳細な拡大図である。
【図８】  図６で取り付けられた補助部品の詳細な拡大図である。
【図１】
0004686111.tif 000002
【図２】
0004686111.tif 000003
【図３】
0004686111.tif 000004
【図４】
0004686111.tif 000005
【図５】
0004686111.tif 000006
【図６】
0004686111.tif 000007
【図７】
0004686111.tif 000008
【図８】
0004686111.tif 000009